(57)【要約】【課題】  回転圧入杭による無排土施工及び列状施工性が良く、支持力の大きい土留壁構造とその施工方法を提供することを目的とする。【解決手段】  回転圧入鋼管杭による土留壁構造において、  杭外径より大きい杭下端の掘削羽根が干渉しない間隔で地中の所定深さに位置する複数の回転圧入鋼管杭からなる第１群の杭列と、前記第１群の杭列を構成する複数の回転圧入鋼管杭間の間隙部に位置し、杭外径より大きい杭下端の掘削羽根が前記第１群の杭列を構成する回転圧入鋼管杭の掘削羽根の若干上に位置する複数の回転圧入鋼管杭からなる第２群の杭列と、前記第１群及び第２群の杭列を構成する回転圧入鋼管杭間の間隙部に位置する地盤改良による止水壁とにより構成され、前記第１群及び第２群の杭列が直線上又は曲線上に整列することを特徴とする。【選択図】図１
2005068919.tif 000002
【特許請求の範囲】
【請求項１】
杭外径より大きい杭下端の掘削羽根が干渉しない間隔で地中の所定深さに位置する複数の回転圧入鋼管杭からなる杭列と、前記杭列を構成する回転圧入鋼管杭間の間隙部に位置する地盤改良による止水壁とにより構成され、前記杭列が直線上又は曲線上に整列することを特徴とする回転圧入鋼管杭による土留壁構造。
【請求項２】
杭外径より大きい杭下端の掘削羽根が干渉しない間隔で地中の所定深さに位置する複数の回転圧入鋼管杭からなる第１群の杭列と、前記第１群の杭列を構成する複数の回転圧入鋼管杭間の間隙部に位置し、杭外径より大きい杭下端の掘削羽根が前記第１群の杭列を構成する回転圧入鋼管杭の掘削羽根の若干上に位置する複数の回転圧入鋼管杭からなる第２群の杭列と、前記第１群及び第２群の杭列を構成する回転圧入鋼管杭間の間隙部に位置する地盤改良による止水壁とにより構成され、前記第１群及び第２群の杭列が直線上又は曲線上に整列することを特徴とする回転圧入鋼管杭による土留壁構造。
【請求項３】
下端に杭外径より大きい掘削羽根を有する複数の回転圧入鋼管杭を、下端の掘削羽根が干渉しない間隔で地中の所定深さに回転圧入して杭列を構築とした後、前記杭列を構成する回転圧入鋼管杭間の間隙部に地盤改良による止水壁を構築することを特徴とする回転圧入鋼管杭による土留壁の施工方法。
【請求項４】
下端に杭外径より大きい掘削羽根を有する複数の回転圧入鋼管杭を、下端の掘削羽根が干渉しない間隔で地中の所定深さに回転圧入して第１群の杭列を構築とした後、前記第１群の杭列を構成する回転圧入鋼管杭間の間隙部に、下端に杭外径より大きい掘削羽根を有する複数の回転圧入鋼管杭を、その下端の掘削羽根が前記第１群の杭列の回転圧入鋼管杭の下端の掘削羽根の若干上に位置するように回転圧入し、前記第１群及び第２群の杭列が直線上又は曲線上に整列するようにし、その後、第１群及び第２群の杭列を構成する回転圧入鋼管杭間の間隙部に地盤改良による止水壁を構築することを特徴とする回転圧入鋼管杭による土留壁の施工方法。
【発明の詳細な説明】
【技術分野】
【０００１】
本発明は、下端に杭外径より大きな掘削羽根を備えた回転圧入鋼管杭を複数地中に打設して構築される土留壁構造とその施工方法に関する。
【背景技術】
【０００２】
特開平９−７８５６９号公報には、鋼管矢板による土留壁構造として、継手部を外周に備えた鋼管矢板を、中堀オーガーにより地中に圧入し、隣り合う鋼管矢板の継手部を係合し、継手部に止水用充填材を充填して土留壁を構築する土留壁の構築方法が開示されている。
また、特開２０００−１３６５３２号公報には、下端に杭径より大きい掘削羽根を備える回転圧入鋼管杭を地中に回転圧入する際、回転圧入鋼管杭の外周に回転自在に嵌挿した鞘管矢板を同時に地中に圧入し、回転圧入鋼管杭の下端の掘削羽根が干渉しない間隔で回転圧入鋼管杭を地中に打設し、回転圧入鋼管杭間の間隙を鞘管矢板の端部継手部を係合するようにした土留壁構造が開示されている。
【特許文献１】特開平９−７８５６９号公報
【特許文献２】特開２０００−１３６５３２号公報
【発明の開示】
【発明が解決しようとする課題】
【０００３】
しかし、特開平９−７８５６９号公報に開示されたものは、中堀りオーガーによる掘削土の運搬、処理の問題や、継手部への止水充填材の充填のための作業を必要とし、施工コストが高価になるという問題を有する。
特開２０００−１３６５３２号公報に開示されたものは、下端に杭外径より大きい掘削羽根を備えた回転圧入鋼管杭を用いるため掘削土は発生しないが、掘削羽根の干渉を防ぐため、鋼管杭間は鞘管矢板により止水する構造のため、鞘管矢板と回転圧入鋼管杭の同時圧入施工は非常に困難である。また、鞘管矢板部分の材料費も別途となり、結局施工コストが高価になるという問題を有する。
【０００４】
本発明は、前記従来技術の持つ問題点を解決する、回転圧入杭による無排土施工及び列状施工性が良く、支持力の大きい土留壁構造とその施工方法を提供することを目的とする。
【課題を解決するための手段】
【０００５】
本第１発明は、前記課題を解決するために、回転圧入鋼管杭による土留壁構造において、杭外径より大きい杭下端の掘削羽根が干渉しない間隔で地中の所定深さに位置する複数の回転圧入鋼管杭からなる杭列と、前記杭列を構成する回転圧入鋼管杭間の間隙部の掘削羽根上部から上方向に延びる地盤改良による止水壁とにより構成され、前記杭列が直線上又は曲線上に整列することを特徴とする。
【０００６】
本第２発明は、回転圧入鋼管杭による土留壁構造において、杭外径より大きい杭下端の掘削羽根が干渉しない間隔で地中の所定深さに位置する複数の回転圧入鋼管杭からなる第１群の杭列と、前記第１群の杭列を構成する複数の回転圧入鋼管杭間の間隙部に位置し、杭外径より大きい杭下端の掘削羽根が前記第１群の杭列を構成する回転圧入鋼管杭の掘削羽根の若干上に位置する複数の回転圧入鋼管杭からなる第２群の杭列と、前記第１群及び第２群の杭列を構成する回転圧入鋼管杭間の間隙部に位置する地盤改良による止水壁とにより構成され、前記第１群及び第２群の杭列が直線上又は曲線上に整列することを特徴とする。
【０００７】
本第３発明は、回転圧入鋼管杭による土留壁の施工方法において、下端に杭外径より大きい掘削羽根を有する複数の回転圧入鋼管杭を、下端の掘削羽根が干渉しない間隔で地中の所定深さに回転圧入して杭列を構築とした後、前記杭列を構成する回転圧入鋼管杭間の間隙部に地盤改良による止水壁を構築することを特徴とする。
【０００８】
本第４発明は、回転圧入鋼管杭による土留壁の施工方法において、下端に杭外径より大きい掘削羽根を有する複数の回転圧入鋼管杭を、下端の掘削羽根が干渉しない間隔で地中の所定深さに回転圧入して第１群の杭列を構築とした後、前記第１群の杭列を構成する回転圧入鋼管杭間の間隙部に、下端に杭外径より大きい掘削羽根を有する複数の回転圧入鋼管杭を、その下端の掘削羽根が前記第１群の杭列の回転圧入鋼管杭の下端の掘削羽根の若干上に位置するように回転圧入し、前記第１群及び第２群の杭列が直線上又は曲線上に整列するようにし、その後、第１群及び第２群の杭列を構成する回転圧入鋼管杭間の間隙部に地盤改良による止水壁を構築することを特徴とする回転圧入鋼管杭による土留壁の施工方法。
【発明の効果】
【０００９】
本発明の回転圧入鋼管杭による土留壁構造は、直線上又は曲線上に整列して配置されるので、土留壁の厚みを薄くすることができ、回転圧入鋼管杭の下端に杭径より大きい掘削羽根を備えているので、圧縮荷重及び引抜き荷重に対しても抵抗力が大きい土留壁構造とすることができる。
また、本発明の回転圧入鋼管杭には継手部が存在しないので、施工性が良い。
さらに、本発明の回転圧入鋼管杭は排土が発生せず、全旋回型回転圧入機による施工であるので、騒音、振動の発生を低減でき、少ない用地又は、狭い用地での施工が可能であるので、仮設コスト及び施工コストの低減化を図ることができる。    
【発明を実施するための最良の形態】
【００１０】
本発明の実施例１を図により説明する。
【実施例１】
【００１１】
図１は、本発明の土留壁構造の一実施形態を示す斜視図であり、第２図は、その側面図である。
土留壁１は、下端に杭径より大きい掘削羽根１０を有する回転圧入鋼管杭９が、その下端の掘削羽根１０同士が干渉しない間隔で地中の所定深さに位置する複数の回転圧入鋼管杭９からなる杭列１１を有する。
土留壁１は、杭列１１を構成する回転圧入鋼管杭９、９間の間隙部に位置する地盤改良により形成される止水壁１２を有する。
止水壁１２の下端は、杭列１１を構成する回転圧入鋼管杭９の下端の掘削羽根１０の上に位置する。
杭列１１は、直線上または曲線上に整列している。
【実施例２】
【００１２】
本発明の実施例２を図により説明する。
図３は、本発明の土留壁構造の一実施形態を示す斜視図であり、第４図は、その側面図である。
土留壁１は、下端に杭径より大きい掘削羽根３を有する回転圧入鋼管杭２が、その下端の掘削羽根３同士が干渉しない間隔で地中の所定深さに位置する複数の回転圧入鋼管杭２からなる第１群の杭列４を有する。
また、土留壁１は、第１群の杭列４を構成する回転圧入鋼管杭２間の間隙部に位置し、下端に杭径より大きい掘削羽根６を有する回転圧入鋼管杭５が、その下端の掘削羽根６が、第１群の杭列４を構成する回転圧入鋼管杭２の下端の掘削羽根３より若干上に位置する第２群の杭列７を有する。
さらに、土留壁１は、第１及び第２群の杭列４、７を構成する回転圧入鋼管杭２，５の間隙部に位置する地盤改良により形成される止水壁８を有する。
止水壁８の下端は、第２群の杭列７を構成する回転圧入鋼管杭５の下端の掘削羽根６の上に位置する。
【００１３】
第１群及び第２群の杭列４、５は、直線上又は曲線上に位置するように整列して配置される。
下端に杭径より大きい掘削羽根３、６を有する回転圧入鋼管杭２、５により第１群及び第２群の杭列４、７を直線上又は曲線上に位置するように整列して配置されるため、土留壁１の厚みを薄くすることができ、継手部を必要としないので支持力の大きいな土留壁１とすることができる。
【００１４】
図５（ａ）（ｂ）（ｃ）（ｄ）は、本発明の実施例１の土留壁の構築の施工順序を示す平面図である。
（１）図５（ａ）（ｂ）に示すように、下端に杭径より大きい掘削羽根１０を備えた回転圧入鋼管杭９を、その下端の掘削羽根１０が干渉しない間隔で、全旋回型回転圧入機等により、地中の所定深さに回転圧入して杭列１１を施工する。
（２）次に、図５（ｃ）（ｄ）に示すように、杭列１１を構成する回転圧入鋼管杭９、９間の間隙部に固化剤注入しながら周囲地盤と攪拌混合固化させる地盤改良工法等により止水壁１２を形成し土留壁１を構築する。
【００１５】
図６（ａ）（ｂ）（ｃ）（ｄ）（ｅ）（ｆ）は、本発明の実施例２の土留壁１の構築の施工順序を示す平面図である。
（１）図６（ａ）（ｂ）に示すように、下端に杭径より大きい掘削羽根３を備えた回転圧入鋼管杭２を、その下端の掘削羽根３が干渉しない間隔で、全旋回型回転圧入機等により、地中の所定深さに回転圧入して第１群の杭列４を施工する。
（２）次に、図６（ｃ）（ｄ）に示すように、下端に杭径より大きい掘削羽根６を備えた回転圧入鋼管杭５を、その下端の掘削羽根６が、第１群の杭列４を構成する回転圧入鋼管杭２の下端の掘削羽根３より若干上に位置するように、全旋回型回転圧入機等により、地中の所定深さに回転圧入して第２群の杭列７を施工する。
第１群及び第２群の杭列４、７は、直線上又は曲線上に整列するように配置する。
（３）続いて、図６（ｅ）（ｆ）に示すように、第１群及び第２群の杭列４、７を構成する回転圧入鋼管杭２、５間の間隙部に固化剤注入しながら周囲地盤と攪拌混合固化させる地盤改良工法等により止水壁８を形成し土留壁１を構築する。
【図面の簡単な説明】
【００１６】
【図１】本発明の実施形態を示す図である。
【図２】本発明の実施形態を示す図である
【図３】本発明の実施形態を示す図である。
【図４】本発明の実施形態を示す図である。
【図５】（ａ）〜（ｄ）本発明の実施形態を示す図である。
【図６】（ａ）〜（ｆ）本発明の実施形態を示す図である。
【符号の説明】
【００１７】
１：土留壁
２：回転圧入鋼管杭
３：掘削羽根
４：第１群の杭列
５：回転圧入鋼管杭
６：掘削羽根
７：第２群の杭列
８：止水壁
９：回転圧入鋼管杭
１０：掘削羽根
１１：杭列
１２：止水壁
【図１】
2005068919.tif 000003
【図２】
2005068919.tif 000004
【図３】
2005068919.tif 000005
【図４】
2005068919.tif 000006
【図５】
2005068919.tif 000007
【図６】
2005068919.tif 000008